(57)【要約】【目的】通常のスピーカーを水中スピーカーに加工して、音質の劣化が少なく安価な水中スピーカーを提供する。【構成】振動板とセンターキャップとを防水剤又は弾性接着剤を塗布し、他の部分は防水ケースに収納して、水が内部に浸入するのを防止することとした水中スピーカー。【選択図】        図１
2004343669.tif 000002
【特許請求の範囲】
【請求項１】
音を出力する振動板とセンターキャップに防水剤又は弾性接着剤が塗布され、防水されることを特徴とする水中スピーカー。
【請求項２】
防水ケースに収納されているスピーカーの音を出力する振動板とセンターキャップに防水剤又は弾性接着剤が塗布され、防水されることを特徴とする水中スピーカー。
【請求項３】
硬化剤により作られた防水ケースに収納されているスピーカーの音を出力する振動板とセンターキャップに防水剤又は弾性接着剤が塗布され、防水されることを特徴とする水中スピーカー。
【発明の詳細な説明】
【０００１】
【発明が属する技術分野】
本発明は潜水士やダイバー等が潜水時に使用する水中スピーカーに関する。
【０００２】
【従来の技術】
海上に橋を建設する場合や沈没した船を引き上げる場合等、人が海に潜る必要性がある。空気をボンベに詰めて潜る場合もあるが、これでは短時間しか潜れないために、陸上又は船上から空気を送り、長時間海の中で仕事をする場合が多い。海の中での事故はすぐに生死にかかわり、陸上又は船上の人との連絡は緊密に行う必要がある。このために潜水士は潜るときに水中マイクと水中スピーカーを装備し、陸上又は船上の人との連絡に使用している。
【０００３】
水中スピーカーは繊細な動きをするために内部に水（特に海水）が浸入しては良くない。水中スピーカーの内部にはコイルや磁石その他金属もあり、これらが水と接触してショートする時や、錆の問題が発生するからである。このために塩ビや樹脂で完全密閉している物が多い。完全密閉をすれば水中スピーカーの内部には水が浸入せず、前記したような問題は発生しない。
【０００４】
【発明が解決しようとする課題】
塩ビや樹脂で完全に密閉すると、水がスピーカー内部に浸入する恐れはなくなる。しかし、スピーカーは電気の振動を音の振動に変化させるものであり、完全に密閉すると音の振動が外部に伝わり難くなる。このためにアンプの出力を大きくする必要性があるばかりではなく、音質が悪くなる。出力を大きくするだけで済めばさほどでもないが、音質が劣化するのは大きな問題となる。潜水士と陸上又は船上の人と連絡が明確とならず、時には生死の問題となることもある。水中スピーカーは潜水士が潜る時に装備するものであり、大きなものよりも小型の方が望ましい。このために完全密閉型のスピーカーは水中専用の物を作る必要があった。水中スピーカーは通常のスピーカーのように大量に販売されるものではなく、必然的に少量生産となり高価にならざるを得なかった。
【０００５】
【課題を達成するための手段】
本発明は前記課題を達成するためになされたものであって、音質の劣化が非常に少なく、安価な水中スピーカーを提供することを目的としている。
【０００６】
前記課題を達成するために本発明では、
その１として、水中スピーカーが、音を出力する振動板部分とセンターキャップに防水剤が塗布され、防水されることとし、
その２として、防水ケースに収納されているスピーカーの音を出力する振動板部分とセンターキャップに防水剤が塗布され、防水されることとし、
その３として硬化剤により作られた防水ケースに収納されているスピーカーの音を出力する振動板部分とセンターキャップに防水剤が塗布され、防水されることとしている。
【０００７】
【発明の実施の形態】
以下、本発明の一実施例について図面を使用し詳細に説明する。図１は本発明の実施例を示す水中スピーカー２０の断面図である。この水中スピーカー２０の構成について説明をする。この水中スピーカー２０のほぼ中央部にはボビン８がダンパー１０によって支えられている。ボビン８にはコイル９が巻かれておりコイル９の両端はリード線３につながっており、リード線３の他端はリード端子５に接続されている。
【０００８】
図面１のコイル９が巻かれている上下にはプレート１２が設けられ、このプレート１２の左側には磁石１２が取り付けられている。磁石１２の左側にはＴの字状のヨーク１３が配置され、このヨーク１３の突起はボビン８の中に挿入されている。
【０００９】
図面１に示されているボビン８の右端近くに振動板としてのコーン紙２が取り付けられており、コーン紙の中央部にはセンターキャップ１が設けられている。コーン紙２の左側にはフレーム４が取り付けられ、コーン紙２を保持すると共に、保護している。
【００１０】
ここでリード端子５に音声電流を流すとこの電流がボビン８に巻かれているコイル９に流れる。コイル９に電流が流れるとこのコイル９に磁力線が発生する。この磁力線と磁石１１による磁力線とが、反発・吸引によりコイル９に巻かれているボビン８が図面１の左右方向に振動し、これがコーン紙２に伝達されて音が出力されることとなる。
【００１１】
図１に示されている水中スピーカー２０の大きな特徴は、コーン紙２とセンターキャップ１の表面に防水剤２２が塗布されていることである。コーン紙２は文字で明らかなように紙で構成されている。紙は細かい繊維が圧縮されてはいるが、非常に細かい空間がある。ここに防水剤２２を塗布すると、防水剤２２がこの細かい空間に入り込み、空間を埋めることとなる。防水剤２２は撥水性があり水をはじく性質がある。これらの性質を有する防水剤２２をコーン紙２とセンターキャップ１に塗布されると、コーン紙１やセンターキャップ１の材料そのものの中の空間が埋まり、且つ撥水性により水をはじくから、このコーン紙１やセンターキャップ１は水を通さなくなる。即ちこのスピーカー２０を水の中においても、コーン紙２及びセンターキャップ１を通して、水はこのスピーカー２０内部には浸入することは出来ないのである。
【００１２】
この実施例ではコーン紙２等に防水剤２２を塗布したが、防水剤の変わりに、弾性接着剤２２を使用しても、防水剤と同様に水はコーン紙２等を通過することができないことが明らかになった。接着剤には時間が経過すると非常に硬くなる、例えば二液を混合して接着するエポキシ樹脂などの接着剤があるが、コーン紙２等に塗布する接着剤は、この様に硬くなる接着剤は適していない。硬くなる接着剤はコーン紙２等の振動を妨げ、音質の低下となるからである。また、硬くならない接着剤であっても水溶性のものは避けるべきである。水中スピーカー２０を水の中で使用するとき、水溶性の接着材では溶けて、防水効果がなくなるからである。時間が経過しても余り硬くならない接着剤２２を塗布することにより、コーン紙２等の表面の隙間が埋められ、水がコーン紙２等を通過することが出来なくなるのである。また、余り硬くならないので、コーン紙２の振動を余り妨げることなく、音質が低下することはない。
【００１３】
前記実施例でコーン紙２やセンターキャップ１から水が浸入することが出来るから、これ以外の場所から水が水中スピーカー２０の内部に浸入するのを防がなければならない。これには種々の方法がある。図１に示されている実施例では、二液を混合すると非常に硬くなるエポキシ樹脂を硬化剤７として、この水中スピーカー２０のコーン紙２とセンターキャップ１以外の総ての外面に塗布している。この硬化剤７は時間が経過すると、非常に硬くなり機械的にも丈夫で、水は通過することが出来ない。コーン紙２とセンターキャップ１は防水剤又は弾性接着剤２２が塗布されることにより水の通過が遮断され、他の部分は硬化剤７が塗布されることにより水が水中スピーカー２０の内部に浸入することを阻止される。この水中スピーカー２０は完全に内部に水が入ることが出来なくなり、水中スピーカー２０内部での電気のショートや、錆の問題が発生せず、長期間使用することが可能となる。
【００１４】
図２には放水ケース２５に収納されている水中スピーカー３０が示されている。放水ケース２５とはいっても特別なものではなく、この材料は塩化ビニール等の樹脂や、錆が生じ難い金属で構成すればよい。この水中スピーカー３０でもコーン紙２及びセンターキャップ１には防水剤又は弾性接着剤が塗布され、これらから水が水中スピーカー３０内に浸入するのを防いでいる。この他の部分は防水ケース２５が水の浸入を防止しているから、長時間この水中スピーカー３０を水の中で使用しても、水中スピーカー３０内で電気的なショートや錆が生じて、故障が発生するようなことはない。おおよそであるが、この水中スピーカー３０は水深２０ｍ位まで使用することが出来る。
【００１５】
以上の実施例では音を出力するスピーカーを例に説明をしたが、音を電気信号に変換するマイクロフォンも同じ構造であり、前記実施例で示すような構成とすることで水中マイクロフォンを作ることが出来る。すなわち、この方式で作成されたスピーカーをそのままマイクロフォンとして兼用することもできる。また、実施例で示されている水中スピーカー２０等はムービングコイル方式であるが、この他の方式のスピーカーでも同じやり方で水中スピーカーを作ることが出来る。
【００１６】
【発明の効果】
本発明は前記実施例に示すように構成することにより、通常のスピーカーを加工するだけ水中スピーカーを実現できるので、安価となり、音質も従来の水中スピーカーと比較しはるかに良いものを提供することが出来る。
【図面の簡単な説明】
【図１】・・水中スピーカーの断面を示すものである。
【図２】・・水中スピーカーの外観を示すものである。
【符号の説明】
１・・センターキャップ  ２・・コーン紙  ３・・リード線  ８・・ボビン９・・コイル  １０・・ダンパー
【図１】
2004343669.tif 000003
【図２】
2004343669.tif 000004